(57)【要約】【課題】ホースリールにホースを整列して巻き取ることができ、巻き取り時及び繰り出し時にはホースの弛みを防止できる装置を提供する。【解決手段】ホースリールのフレーム１ａ、１ｂを固定している支柱をガイドバー６として、ガイドバー６に回り止めと左右へのスライドを可能にする溝（ガイドバー溝６ａ）を形成し、ボール球９を介してホース整列ユニットＮを取り付けている。ホース整列ユニットＮはボール球９により回動しないが左右にスライドするボール球保持軸７を設け、ボール保持軸７の周面に回動可能なホースガイド８を設ける。ねじりコイルバネ１０は常にホースに押圧がかかるようにボール球保持軸７とホースガイド８に取り付けられている。【特許請求の範囲】
【請求項１】
フレーム１ａ、１ｂを固定しているガイドバーにボール球案内溝を設けて、ボール球を介して回動することなくドラムの軸方向と平行に直動するボール球保持軸とボール球保持軸の周面に回動するホースガイドとホースガイドに押圧を与えるねじりコイルバネとホースガイドをホース整列ユニットのセンターに位置させるスリーブから構成されるホース整列ユニットを有したことを特徴とするホースリール。
【請求項２】
前記ガイドバーに回動を防止して直動するため、ガイドバーに１面以上の面を有するホース整列ユニット付きホースリール。
【請求項３】
前記ねじりコイルバネの代わりに板バネでホースガイドに押圧を与える構造にしたホース整列ユニット付きホースリール。
【請求項４】
ホース整列ユニットをホースから離して固定するフックを有したホース整列ユニット解除フック付きホースリール。
【発明の詳細な説明】
【０００１】
【発明の属する技術分野】
本発明はホースを整列巻きするとともに巻き取り時及び繰り出し時にホースの弛みを防止できる装置が付いたホースリールに関する。
【０００２】
【従来の技術】
従来より散水を行うのにホースリールを用いて散水した後、ホースリールのハンドルを回してホースをドラムに巻き取って収納していた。
【０００３】
【発明が解決しようとする課題】
しかしながら、このような従来のホースリールには次のような問題がある。
▲１▼ハンドルを回してホースを巻き取ると奇麗に整列巻きができなくなったり、巻き取りが偏ることがある。
▲２▼巻き取るときにホースに手を添えないと整列巻きができないが、その際ホースに付いた汚れが手に付くことになる。
▲３▼ホースの巻き取り時、均等な力で巻き取ることができなくなることでホースの弛みが生じる。
▲４▼散水中ノズルで水を出したり止めたりする時の水の圧力でドラムが回転してホースが弛むことがある。
【０００４】
そこで、本発明は前記の問題を解決し、片手でホースを整列巻きに巻き取ることができ、ホースの弛みを解消するホースリールを提供する。
【０００５】
【課題を解決するための手段】
前記課題を解決するための本発明のホースリールは、ホースリール本体のフレーム１ａと１ｂの固定と運搬時の取っ手を兼ねた支柱をガイドバー６として、ガイドバー６にドラム２の軸方向と平行に左右に直動するための溝を設ける。前記の溝に沿って滑らかに転がったり、滑ったりするボール球９を介してホース整列ユニットＮが設けられている。
【０００６】
ホース整列ユニットＮはガタなく滑らかに転がる、あるいは滑る程の密着でボール球９を保持する球面を有するボール球保持軸７とボール球保持軸７の周面にはホースガイド８とボール球保持軸７の端面との間にねじりコイルバネ１０を取り付け、ねじりコイルバネ１０の片端はボール球保持軸７の端面にもう一方の片端はホースガイド８に常にドラム２側に押圧がかかるように取り付けられた構造である。
【０００７】
ボール保持軸７に挿入取り付けられたボール球９とガイドバー６のガイドバー溝６ａによってボール保持軸７の回動を阻止し、左右へは滑らかに直動する構造となっている。
【０００８】
ホースガイド８の長さはホースリールを水平に置いた状態でドラム２の中心辺りにホースガイド８のホース押え部８ｂが来る位の長さにしている。ホース押え部８ｂの形状はホースの外形に合わせた円弧としている。ホースガイド８にはホースをスムーズに案内するためのホース案内兼ノズル収納部８ａが設けられている。
【０００９】
ホースガイド８のホース押え部８ｂにホース５をセットしてハンドル４を回すと、ホース５はホース押え部８ｂに押圧されているためホース５が乱れることなく整列して巻き取られる時の横への力がボール球保持軸７に伝えられ、ボール球保持軸７はホース５が整列巻きされる時の横への移動と連動してホース整列ユニットＮがドラム２の軸方向と平行にガイドバー溝６ａに沿って動くことになる。前記のホース整列ユニットＮが連動することによってより一層整列巻きが可能となる。
【００１０】
【発明の実施の形態】
本発明の実施例を図面に基づいて説明する。図１に示すようにホースリール本体のフレーム１ａ、１ｂの固定と運搬時の取っ手を兼ねた支柱にボール球溝６ａを設けてガイドバー６としており、そのガイドバー６に本発明のホース整列ユニットＮが取り付けられている。
【００１１】
図２はホース整列ユニットＮの断面図であり、ホース５はホースガイド８に設けられたホース案内兼ノズル収納部８ａに案内されてホース押え部８ｂでホース５を押圧して巻き取り時の乱れを規制している。
【００１２】
ホースガイド８はホース案内兼ノズル収納部８ａ、ホース押え部８ｂ、ホースガイド回転部８ｃ、ホースガイド可変部８ｄにより構成され、５つの機能を１つの部品にまとめ部品点数を削減して安価に制作可能としている。
【００１３】
ホース案内兼ノズル収納部８ａはホース押え部８ｂにホースを滑らかに供給する役割と、巻き取り完了時ホース５の先端に取り付けられたノズル部が収納できる形状としてあり、収納後の見た目がよくなる。
【００１４】
ホース押え部８ｂの形状はホース５の外形に合わせた形状としているが、図２のようにホース５の半分程度覆い被さるようにして、ホース押え部８ｂによりホースとホースの間に隙間ができないようにしてある。
【００１５】
ホースガイド可変部８ｄはホース整列ユニットＮが巻き取り中ドラム２の両端にきた時、ホース５が両端で停止したままで幾重にも巻き取られ整列巻きができなくなるのを防ぐため、図５に示すように、フレーム１ａ、１ｂにフレームストッパー部１ｃを設けて、ホース整列ユニットＮがドラム２の両端にきた時、フレームストッパー部１ｃに当たり、ホース５の横への移動する力に負けてホースガイド可変部８ｄが曲がる形状としてある。フレームストッパー部１ｃ位置関係は図５に示すようにａ＞ｂ、ｂ寸法はホース５の外形ｃの半分程度になるようにする。両端で１回転程するとホース５の横への移動する力がなくなるので、図５で示す矢印（→）の方向にホースガイド可変部８ｄが元に戻ろうとする力が働き、ドラム２の両端で停止することもなくドラム２で往復整列巻きをすることができる。
【００１６】
図３は図２のＡ−Ａから見た図である。ホースガイド８は図３のようにホース整列ユニットＮのセンターに位置するように、ねじりコイルバネ１０の装着された長さ分をスリーブ１１の長さで決めている。
【００１７】
図４は図２のＢ−Ｂ断面図である。図４と図６で示すように、ガイドバー６にはドラム２の軸方向と平行にガイドバー溝６ａを設けており、ガイドバー溝６ａと密着して滑らかに転がる、あるいは滑るほどの形状のボール球９を介して、ホース整列ユニットが取り付けられている。
【００１８】
ホース整列ユニットＮはガタなく滑らかに転がる、あるいは滑る程度の密着度でボール球９を保持する球面状のホールを有するボール保持軸７を設ける。前記により、ボール球保持軸７は回動することなくボール球９を介してガイドバー溝６ａに沿ってドラム２の軸方向と平行に滑らかに左右に直動することができる。
【００１９】
ボール球保持軸７の周面には回動するホースガイド８が設けられており、さらにボール球保持軸７の周面にはボール球保持軸７の端面とホースガイド８の間にねじりコイルバネ１０を配置して、ホースガイド８がホース５を押圧する方向にねじりコイルバネ１０の片端はボール球保持軸７の端面に、もう一方の片端はホースガイド８に取り付けられている。
【００２０】
前記によりホース整列ユニットＮはねじりコイルバネ１０でホースガイド８を介してホース５を押圧しながら、ボール球９を介してドラム２の軸方向と平行に滑らかに左右に直動することになる。
【００２１】
図６で示すようにホース整列ユニットＮはフレーム１ａ、１ｂの固定と取っ手を兼ねたガイドバー６とボール球９、ボール球保持軸７、ホースガイド８、ねじりコイルバネ１０、スリーブ１１で構成され、部品点数を少なくして低コスト化を図っている。
【００２２】
【発明の効果】
以上に説明したように、本発明のホース整列ユニットＮ付きのホースリールであれば、次のような優れた効果を奏する。
▲１▼ホースの巻き乱れを無くして簡単に整列巻きをすることができる。
▲２▼片手でハンドルを回すだけでホース整列巻きができるので、ホースに手を添えることでホースに付いた汚れが手に付くことなく、快適にホース巻き取り作業ができる。
▲３▼適度な力がホースにかかっているのでホース巻き取りの時、あるいは繰り出し時にホースの弛みが生じてホースが乱れることがない。
▲４▼散水中ノズルで水を出したり止めたりする時の水の圧力でドラムが回転してホースが弛むことがない。
▲５▼ドラムの両端でホースを規制するのでホースがドラム外とホースリール本体の間に巻き込むことがない。
▲６▼部品点数が少ないので大きな効果と低コスト化が図れる。
【図面の簡単な説明】
【図１】本発明の実施例によるホースリール全体を示す斜視図である。
【図２】同実施のホース整列ユニットの断面図である。
【図３】図２のＡ−Ａ線に沿った図である。
【図４】図２のＢ−Ｂ線に沿った断面図である。
【図５】図２においてホース整列ユニットがフレームストッパー部に当たった時の後から見た図である。
【図６】同実施の形態を示す分解斜視図である。
【符号の説明】
１ａ、１ｂ  フレーム
２    ドラム
３    支柱
４    ハンドル
５    ホース
６    ガイドバー
６ａ  ガイドバー溝
７    ボール球保持軸
８    ホースガイド
８ａ  ホース案内兼ノズル収納部
８ｂ  ホース押え部
８ｃ  ホースガイド回転部
８ｄ  ホースガイド可変部
９    ボール球
１０  ねじりコイルバネ
１１  スリーブ
【図１】
2004284817.tif 000002
【図２】
2004284817.tif 000003
【図３】
2004284817.tif 000004
【図４】
2004284817.tif 000005
【図５】
2004284817.tif 000006
【図６】
2004284817.tif 000007